(57)【要約】      （修正有）【課題】ガードシートの上下げが円滑で、かつ、装着感も良好であるマウスガードを提供する。【解決手段】眼鏡型のフレーム１１および透明ガードシート１３を備え、飲食・スポーツ観戦等に際して頭部に装着したまま、ガードシートを上下させて飲食・会話が可能なマウスガードである。ガードシートは、マスク部１３ａとその両側に連接するアーム部１３ｂとからなる。各テンプル１５の外側面は、テンプルの蝶番１６側に支軸ピン１９と、その後方に案内ピン２１とを備える。アーム部１３ｂは、支軸ピンに嵌着する支軸ピン受け穴を備えるとともに、アーム部の上端後側に案内切欠を備える。案内切欠は、案内ピン２１の外周内側を摺動する摺動円弧と、その両端に形成される上・下ストッパ段とからなる。【選択図】図１
0003231927.tif 000002
【実用新案登録請求の範囲】
【請求項１】
眼鏡型のフレームおよび透明なガードシートを備え、飲食・スポーツ観戦等に際して頭部に装着したまま、前記ガードシートを上下に回動させて飲食・会話が可能なマウスガードであって、
前記フレームの各テンプルの外側面は、蝶番側に支軸ピンを、該支軸ピンの後方に案内ピンをそれぞれ備え、
前記ガードシートは、マスク部と該マスク部の両側に連接する回動用のアーム部とを備え、
該アーム部は、前記支軸ピンと嵌着する支軸ピン受け穴を備えるとともに、前記アーム部の上端後側に前記ガードシートの回動を規制する案内切欠を備え、
該案内切欠は、前記案内ピンの外周内側を摺動する摺動円弧と、該摺動円弧の両端に形成される上・下ストッパ段とを備えている、
ことを特徴とするマウスガード。
【請求項２】
前記摺動円弧が、前記ガードシートの回動時に前記案内ピンの外周内側（摺動接点）で形成される案内ピン軌跡円弧の外側に漸増膨出部を備え、
該漸増膨出部は、前記摺動円弧を前記支軸ピン受け穴の中心から前記上ストッパ段方向に微小偏心した位置を中心とし前記案内ピン軌跡円弧と同一半径を有する偏心円弧として形成され、また、
前記上ストッパ段に連続する部位がカットされて前記上ストッパ段と直交する案内ピン係合座が形成され、該案内ピン係合座は案内ピン軌跡円弧上又はそれより微小内側位置にあることを特徴とする請求項１記載のマウスガード。
【請求項３】
前記支軸ピン受け穴の外周部に１本または複数本の放射状スリットが形成されて、前記支軸ピン受け穴が前記支軸ピンにスナップ係合可能とされていることを特徴とする請求項１又は２記載のマウスガード。
【請求項４】
フロントが各リム下側部をブリッジで連結した２瘤反転形状であり、眼鏡をかけたまま装着可能なように、鼻当て部が通常の眼鏡より大き目とされていることを特徴とする請求項１，２又は３記載のマウスガード。
【考案の詳細な説明】
【技術分野】
【０００１】  本発明は、眼鏡型フレームおよび透明なガードシート（以下、ガードシート）を備え、飲食・スポーツ観戦等に際して頭部に装着したまま、ガードシートを上下回動させて飲食・会話が可能なマウスガードに関する。特に、居酒屋やレストラン、さらにはスタジアム等において有用なマウスガードに係る考案である。
【背景技術】
【０００２】  昨今のコロナウイルスの感染防止対策として、飲食店等においては、隣席間に透明間仕切りをおいたり、席間距離を設けたりする必要がある。また、スタジアム等においては入場者数制限がされている。
このような状況において、下記のような特許文献１・２が提案されている。
【先行技術文献】
【特許文献】
【０００３】
【特許文献１】実用新案登録３２２８９４３号公報
【特許文献２】実用新案登録３２２７８９９号公報
【考案の概要】
【考案が解決しようとする課題】
【０００４】  上記のようなマウスガード（マスク）は、通常のマスクやマウスガードと同様、特許文献１・２では、ともに呼吸や会話（発声）に伴う自他の口からの飛沫を遮断して飛沫感染を低減させる作用効果を有する。しかし、飲食をするに際してマスク本体を上（下）に動かす必要がある（特許文献１［００１１］、特許文献２［００１１］）。この上（下）に動かすに際して、特許文献１では図５に示す如くマスク支えと一体化した額抑えがあるため、また、特許文献２では図３に示す如くマスク本体がマスク支えとハトメにより連結されている。このため、これらのマウスガード（マスク）をガード位置・解除位置間を円滑に移動させられない。また、ガード位置ないしガード解除位置の装着感も、さらには、これら両位置間の移動動作時の感覚も必ずしも良好とはいえない。さらに、特許文献２の場合は、ガード解除位置における保持状態も不安定であると考えられる。【０００５】  本考案は、上記にかんがみて、ガードシートのガード位置・解除位置間の移動が円滑に行え、かつ、ガード位置・解除位置における装着感も良好であり、さらには、ガードシートのガード解除位置の保持状態も安定であるマウスガードを提供することを目的とする。
【課題を解決するための手段】  本発明は、上記課題を請求項１〜４に係る構成により解決する。
【図面の簡単な説明】
【０００６】
【図１】本考案の一実施形態に係るマウスガードのガードシートがガード位置にある装着状態側面図である。
【図２】同じく装着状態正面図である。
【図３】同じくガードシートがガード位置（下位置）にあるときの要部説明図である。
【図４】同じくガードシートがガード解除位置（上位置）にあるときの要部説明図である。
【考案を実施するための形態】
【０００７】  以下、本考案の一実施形態について、図例に基づき説明する。なお、本考案は、本実施形態に限定されるものではなく、請求の範囲に属するあらゆる態様に及ぶものである。
【０００８】  本実施形態に係るマウスガードは、眼鏡型のフレーム１１および透明なガードシート１３を備え、飲食・スポーツ観戦等に際して頭部に装着したまま、ガードシート１３をガード位置・解除位置間を回動移動させて飲食・会話等が可能なものである。
フレーム１１は、従来と同様、一対のテンプル１５及び１個のフロント１７を備えている。ガードシート１３は、マスク部１３ａとその両側に連接するアーム部１３ｂとを備えている。そして、各テンプル１５の外側面は、蝶番１６側に支軸ピン１９を、該支軸ピン１９の後方にガードシート１３の案内ピン２１をそれぞれ備えている。ここで、支軸ピン１９は、ガードシート１３の回動支軸となり、ガードシート１３を留めるための膨出頭部１９ａを備えたキノコ形状である。また、案内ピン２１の頭部には係合鍔部２１ａを形成しておく。ガードシート１３の後述の案内切欠２７の摺動円弧２９が、案内ピン２１から外れないようにするためである。
【０００９】  アーム部１３ｂは、支軸ピン１９に嵌着する支軸ピン受け穴２５を備えるとともに、アーム部１３ｂの上端後側に案内切欠２７を備えている。上記支軸ピン受け穴２５の外周部に１本または複数本（図例では４本）の放射状スリット２６を形成して、支軸ピン１９とスナップ係合可能としてある。ガードシート１３のフレーム１１への取り付けが容易となる。
【００１０】  上記案内切欠２７は、案内ピン２１の外周内側を摺動し摺動円弧２９と、その両端に形成する上・下ストッパ段３１、３３とを備えている。
ここで、ガードシート１３は、その回動時に案内ピンの外周内側（摺動接点）ｐで形成される案内ピン軌跡円弧３０を備える。ガードシート１３の回動半径ｒは、支軸ピン中心ｃ１と案内ピン２１の外周内側（摺動接点）ｐ間距離となる。すると、案内ピン軌跡円弧３０は、ピン受け穴中心ｃ１を中心とする回動半径ｒ及び回動角（中心角）θを有するものとなる。
【００１２】  ここで、回動半径ｒは、通常、１５〜２０ｍｍとする。ガードシート１３の回動角θは、略６０°〜９０°、望ましくは略７５〜９０°とする。ガードシート１３の回動角θが、小さいと、ガードシート１３のガード解除位置の開口量を確保しがたく、逆に大きいと、顔前上頭部に当たり装着感を損なう。
【００１３】  摺動円弧２９は、案内ピン軌跡円弧３０としてもよいが、本実施形態では、前記回動半径ｒと同一の半径の偏心円弧とする。該偏心円弧の偏心中心ｃ２は、支軸ピン受け穴２５の中心ｃ１から上ストッパ段３１方向に微小移動させた位置とする。このため、摺動円弧２９は、案内ピン軌跡円弧３０の外側に上ストッパ段３１に向かう漸増膨出部ｇを備えるものとなる。ここで、偏心量Δｈは、例えば、偏心円弧の半径ｒを前記１５〜２０ｍｍとし、シート材料をＰＥＴとした場合、０．３〜０．６ｍｍ、望ましくは０．４〜０．５ｍｍとする。
【００１４】そして、摺動円弧２９の上ストッパ段３１に連続する部位を、略直交方向にカットして案内ピン係合座３５を形成する。案内ピン係合座３５は案内ピン軌跡円弧３０上又はそれより微小内側位置にある。この微小量は、案内ピン２１の形状や位置により変動するが、例えば、略０．４〜１０ｍｍの範囲で適宜設定する。また、案内ピン係合座３５の座面幅ｗは、通常、案内ピン２１の外周半径以下に設定する。
【００１５】  上記フレーム１１は、レンズ組込み型のものと異なり、フロント１７は、各リム下側部１７ａ，１７ａをブリッジ１７ｂで連結した２瘤反転形状である。
当該形状とすることにより視野が確保しやすくなるとともに軽量化に寄与する。
なお、フレーム１１は、テンプル１５及びフロント１７を型成形後、両者を金属ピン等で蝶番１６結合して制作する。テンプル１５を型成形すれば、支軸ピン１９や案内ピン２１も同時に一体成形できる。ここで、フレーム１１の成形材料としては、ポリカーボネート（ＰＣ）やセルロイド等の汎用樹脂を使用できる。
【００１６】  上記ガードシート１３は、板状シート原反から打ち抜きにより制作する。簡単に大量生産できる。すなわち、案内切欠２７を含むシート外縁ばかりでなく、ガードシート１３の形成材料としては、湾曲可能で若干の戻り弾性を有するものなら特に限定されない。例えば、透明性に優れるポリエチレンテレフタレート（ＰＥＴ）やポリカーボネート（ＰＣ）等の汎用樹脂を好適に使用できる。ガードシート１３肉厚は、形成材料により若干異なるが、例えば、０．１〜０．５ｍｍ、望ましくは、０．１５〜０．２５ｍｍの範囲内で適宜選定する。
また、打ち抜き後のガードシート１３は、通常そのまま使用に供するが、防曇、抗菌、着色、紫外線吸収等の各種処理を適宜施すことができる。特に、防曇加工をした場合は、呼気による曇り防止ができ、曇りによる外観（美観）を損ないがたい。
【００１７】  次に、上記実施形態に係るマウスガードの使用態様について説明する。
本実施形態のマウスガードは、取り付け形態に湾曲させて一対の支軸ピン受け穴２５をテンプル１５外側の支軸ピン１９とスナップ嵌着させて、フレーム１１に取り付ける。すると、ガードシート１３は、その弾性戻り力により支軸ピン１９の膨出頭部１９ａ、及び、摺動円弧２９が案内ピン２１の係合鍔部２１ａに係合して、安定してフレーム１１に取り付けられる。飲食店等において使用する際には、該マウスガードは、通常の眼鏡と同様にして、簡単に頭部に取り付けることができる。また、フレーム１１以外は顔面に直接接触することなくマウスガード装着感も良好である。眼鏡を使用している上からも装着が可能なように、フレームの鼻当て部分は通常の眼鏡より若干大き目に設計する。
【００１８】  そして、歓談時等においては、ガードシート１３はガード位置（下位置）にあり、図１〜２に示す如く、口鼻部をガードするため、自他の飛沫感染が有効に防止される。また、飲食時等においては、ガードシート１３下側を手で把持して持ち上げて、ガード解除位置に到達させる（図４）。すなわち、案内切欠２７の摺動円弧３０が案内ピン２１の外周内側（摺動接点）を摺動しながら、案内ピン２１が上ストッパ段３１に係合するまで回動させる。ここで、摺動円弧２９のピン係合座３５に連続する下側部位は、摺動円弧２９を形成する偏心円弧と案内ピン軌跡円弧３０との間に、略偏心量Δｈにまで漸増する漸増膨出部ｇを有する（図３・４アーム部）。このため、摺動円弧２９は、摺動過程で案内ピン２１から負荷（抗力）を受ける。したがって、ピン係合座３５に案内ピン２１が到達すると、それまで受けていた負荷が解除されてクリック感が得られるとともに、案内ピン２１は直交法線する２接点で保持される。よって、案内ピン２１の係合保持性が向上するとともに、ガードシート１３のガード解除位置への到達が確認しやすくなる。さらに、ガードシート１３が下へ回動移動しようとする作用も上記負荷により阻止され、ガードシート１３をガード解除位置（図４）で安定して保持できる。
【００１９】  そして、飲食途中で会話等を行う際は、ガードシート１３下側をつかんで下方へ引っ張る。すると、ガードシート１３は、その下移動を阻止している前記負荷に打ち勝ち、案内ピン２１が、摺動円弧２９の漸増膨出部ｇに位置する。すると、ガードシート１３は、下ストッパ段３３が案内ピン２１に当接するまで自重移動して、ガード位置に至る。摺動円弧２９の漸増膨出部ｇは下側に向かっては漸減しているためである。よって、ガードシート１３をガード位置へ素早く戻すことができる。
【００２０】  マウスガード使用後には、支軸ピン１９とガードシート１３の嵌着状態を解除して、使用済みガードシート１３をフレーム１１から取り外す。そして、飲食店においては、消毒したフレーム１１とともに未使用のガードシート１３を、次の客に提供すればよい。
さらに、ガードシート１３は、フレーム１１に保持された状態で顔面に直接接触することなく上下させるため、上下操作時の装着感も良好である。
【符号の説明】
【００２１】  １１    （眼鏡型の）フレーム
１３    （透明な）ガードシート
１３ａ    マスク部
１３ｂ    アーム部
１５    テンプル
１６    蝶番
１９    支軸ピン
２１    案内ピン
２５    支軸ピン受け穴
２７    案内切欠
２９    摺動円弧（偏心円弧）
３０    案内ピン軌跡円弧
３１    上ストッパ段
３３    下ストッパ段
３５    案内ピン係合座
ｒ    回動半径
Δｈ    偏心量
θ    案内ピン軌跡円弧の中心角（ガードシートの回動角）
ｇ    漸増膨出部
ｐ    外周内側（摺動接点）
【図１】
0003231927.tif 000003
【図２】
0003231927.tif 000004
【図３】
0003231927.tif 000005
【図４】
0003231927.tif 000006